(57)【要約】【課題】これは、次のような欠点があった。従来、スタンプ、印は本体に一つの印影が一般的であった。そのため、1押し印影ごとに他のスタンプ、押印を使っていた。そのため押す場所が狭い所、レイアウトを変えて押し印したい時には二つのスタンプ、押印を準備しなくてはいけなかった。本発明はこのような従来の、押印の手間の問題を解決しようとするものである。 【解決手段】この課題を解決するための請求項1の発明は押印本体の印影を押し印する部分が押印本体の少なくとも、下部と側面、側面と側面2つあり、下部と側面に印影印部、対抗側面に印影印刷面を設け、連続する印影印部の画像の上下間は全て方向を統一する。印影印部を持つ押し印を特長とする押印。本発明は以上の構成のようになる「押印、印」である。【選択図】図2
2015054427.tif 000002
【特許請求の範囲】
【請求項１】
押印本体の印影を押し印する部分が押印本体の少なくとも、下部と側面、側面と側面2つあり、下部と側面に印影印部、対抗側面に印影印刷面を設け、連続する印影印部の画像の上下間は全て方向を統一する、印影印部を持つ押し印を特長とする押印。
【請求項２】
押印本体に置いて、側面の対抗2側面は空け、持ち手部分とすることを特長とする請求項1の押印。
【発明の詳細な説明】
【技術分野】
【０００１】
本発明は押印、スタンプ又は、あらゆる素材のスタンプ、押印に関する。  
【背景技術】
【０００２】
従来から印、スタンプは本体に一つのみ、又は数字、単語の入れ替え式又は数字の回転式のきわめて簡易なスタンプが一般的であった。
【先行技術文献】
【特許文献】
【０００３】
【特許文献１】実用新案登録第3131819号 公報
【特許文献２】実用新案出願公開、平03-72467号 公報
【発明の概要】
【発明が解決しようとする課題】
【０００４】
これは、次のような欠点があった。従来、スタンプ、印は本体に一つの印影が一般的であった。そのため、1押し印影ごとに他のスタンプ、押印を使っていた。
そのため押す場所が狭い所、レイアウトを変えて押し印したい時には二つのスタンプ、押印を準備しなくてはいけなかった。
本発明はこのような従来の、押印の手間の問題を解決しようとするものである。
【課題を解決するための手段】
【０００５】
この発明は、押印本体の印影を押し印する部分が押印本体の少なくとも、下部と側面、側面と側面2つあり、下部と側面に印影印部、対抗側面に印影印刷面を設け、連続する印影印部の画像の上下間は全て方向を統一する、印影印部を持つ押し印を特長とする請求項1の押印。
本発明は、以上の構成のようになる「押印、印」である。
【発明の効果】
【０００６】
この発明により、一つのスタンプで二重押しが可能になる。
重ね押しができるようになる。すなわち、色の違うインクを着け印影（バックになる画像）を押し印し、その上に違うインクを着け名前等の別の印影を押し印する。これは絵柄の上に別の絵柄又は文字に別の文字を重ねて押し印すること。
この二重押しが一つのスタンプで連続的に行うことができる。
又は、違う絵柄の上に別の絵柄を押し印することにより2つの印影で一つのオリジナリティーのある押し印が可能になる。
二重押しすなわち重ねて押し絵柄の上に別の絵柄、又は文字を重ねて押し印する。
一つの押印本体でできる。
従来にない印影が楽しめる。一つの押印本体で可能になる。
一つのスタンプに少なくとも2つ以上の印影面を持つ押印からなる。
この発明は片手で持ちながら、「押し印、90度回転し絵柄図柄の変更、インク付着、押し印、90度回転し図柄の変更、インク付着」が片手（支店を軸に）で持ちながら手早く押し印し繰り返すことができる押印である。
【図面の簡単な説明】
【０００７】
【図１】押印本体は立方体で下部と側面に印影凹凸おうとつ部。
【図２】押印本体は薄型の立方体で、指先で持つ支点を示す。
【図３】立方体押印は６面立方体で下部と側面に印部又は押印部を持つ図。
【図４】６面立方体で下部と側面又は側面と側面に印影凹凸おうとつ部を持ち、指先で持つ支点を示す図。
【発明を実施するための形態】
【実施例】
【０００８】
図1は、押印本体の指先で持つ部分の面を2つ対向側面に設ける。
印部は押印本体の下部と側面の2箇所又は側面と側面の2箇所に設置する。
印影印部の上下間は指先で挟む箇所を中心支点に全て一方向に統一する。
対向の印影印刷面も印影印部に合わせ対向に印影印刷面を設ける。同じく反転一方向に統一するように設置する。
下部と側面に印影印部、対抗側面に印影印刷面を設け、他の側面の対抗2側面は必ず空け  持ち手部分とする。
印影の上下間は全て統一する下部と側面に印影押印を持つ押し印。
これにより、連続押し2重押印が可能な構成になる。
押印本体の印影印刷上部面、と押印本体の下部に印影凹凸部を設置しその側面に印影凹凸部を設ける。側面の印影画像は側面に対して対向側（反対側）に設ける。
印影凹凸おうとつ部は側面に対して側面全面に配置されている図1の2が全面ではなく半分又は一部分でもよい。押印本体1つに対して2つ面以上の印影を持っている押印、
押印本体の側面にも印影凹凸おうとつ部を設置することがこの考案の重要要素である（図1）。
押印本体は立方体の6面体で、角度90度の直角を全ての角に持つ立方体である。立方体の対向2側面を親指と中指（又は人さし指）で持つ中心支点とする、中心支点を軸に押印本体を回転さすと対向側面と上下面の4面が回転する（図2）。
回転する4面に印影印部と印影図柄を中心支点軸に沿って統一方向に配列設置する。
片手で持ったまま連写、連続押し印できる押印、スタンプとなる。
【０００９】
図2は、立方体の押印本体は下部と側面のみ、印影は印影凹凸おうとつ部の反対側に設定設置し、印影凹凸おうとつ部の幅は統一、二重重ね押し印が可能なように構成する。
下部と側面の印影は必ず下部印影の上下間は側面の印影上下間を必ず合わす。ことが重要な要素である。
合わさなくては、ダブルスタンプの重要な連続押し印が出来なくなる。
この発明は下部印影と側面印影を設け印影の上下間同士が必ず立方体の一側面で結びつくように設置する。
すなわち印影上下間は下部も側面も屈折しても統一さすことが重要な要素。
重ね押しするために印影上下間は必ず合わせる（印影上下間の下部が左側であれば側面印影も上下間下部は左側に設置する）発明である。
すなわち印影印刷面、押印面、全てにおいて、取っ手部としての余白平面を対抗2側面を作り、指先で挟み持つ平面部分とする。
下部と側面2つの印影押し印部を持ち印影印刷面は対抗平面部に設置する、押し印が請求項の発明。
二重押しすなわち重ねて押しは、絵柄の上に別の絵柄、又は文字を重ねて押し印することが、一つの押印本体でできる。
下部と側面に印影印部、対抗側面に印影印刷面を設け、他の側面の対抗2側面は必ず空け
持ち手部分とする。
印影の上下間は全て統一する下部と側面に印影押印を持つ押し印、連続交互押し2重押印が可能な構成になる。
ダブルスタンプ、立方体の押印本体は下部と側面のみ、印影は印影凹凸おうとつ部の反対側に設定設置し、印影凹凸おうとつ部の幅は統一、二重重ね押し印が可能なように構成する。
下部と側面の印影は必ず下部印影の上下間は側面の印影上下間を必ず合わす、ことが重要な要素であり、合わさなくては、ダブルスタンプの重要な連続押し印が出来なくなる。
この発明は下部印影と側面印影を設け印影の上下間同士が必ず立方体の一側面で結びつくように設置する。
すなわち、印影上下間は下部も側面も屈折しても統一さすことが重要な要素である。
重ね押しするために印影上下間は必ず合わせる（印影上下間の下部が左側であれば側面印影も上下間下部は左側に設置する）発明である。
すなわち印影印刷面、押印面、全てにおいて、取っ手部としての余白平面を対抗2側面を作り、指先で挟み持つ平面部分とする。
指又は手で挟み持つ対向2側面部分の平面を中心に印凹凸おうとつ部分、印影画像が構成される。
下部と1側面2つの印影押し印部を持ち、印影印刷面は対抗平面部に設置する、押し印が請求項の発明。
使わない側面の印影凹凸おうとつ部分にカバー、キャップを作りカバーキャップをしてもよい。インク内臓の浸透型スタンプでも側面にも設置した2つの印影をもつスタンプも同じである。使用が可能である。カバーキャップを設置してインクの汚れを防いでもよい。
又は押し印は石印でも木材の印で彫刻印でも二つの印影印部を持てば、ダブル押し印、押印として使用できる。
【００１０】
図3の押印本体は、正方形に近い厚みのある立方体で少なくとも下部と側面2面の印影凹凸おうとつ部を持つ押印（又は上部と側面、上部と下部2つ）。
押印本体の印影印刷面は印影凹凸（おうとつ）部の対向の反対側面でもよいが、押し印する時にもっとも確認できる位置であれば対向側面でなくてもよい。
押印本体1つに対してすくなくとも2面以上立方体に印影凹凸（おうとつ）面をもつ押し印が重要な要素である。
押印本体の少なくとも、下部と側面、側面と側面、上部と側面2つ以上あることすなわち全てに共通する部分が側面である。押印本体の側面にも印影凹凸おうとつ部を設置する。ことがこの発明の重要要素であることを特長とする押印。
押印本体の持ち手、対向2側面部を支点にし1角回転（90度、4分1回転片手で行える。）さして連続的に交互に押印することができる。片手で持ったままである。
押印本体は立方体、下部に押印部、側面にも押印部、上部に印影図柄部、側面に印影図柄部を対向面に設置する。
印と印影図柄は陰と陽、凹凸おうとつの反対向向き（反転）の図柄になる。
二つの印影図柄は持ち手支点に対して統一方向を示す。
連写スタンプ。連写するスタンプである。片手で持ったまま、連続的に2つの面を交互に押せるスタンプのことである。
押印本体の対向2側面を中心支点とし、持ち手側面部とする。中心支点に沿って印影図柄は中心より全て一方向に統一することを特徴とした押印、2つの印影の統一した方向配列で作ることができる。
印影は一方向に統一する。
すなわち右手で持つ場合、親指と人差し指と中指で押印本体を挟み押印本体を固定する場合、印影図柄は人差し指中指側を上部又は右側、親指側を下部又は左側を向く図案印影になる。
左手で持つ場合、親指側は印影図柄は下部又は右側になり、人差し指中指側は上部又は左側の印影図柄に一方向に統一することが重要である。
普通型サイズのスタンプ、押印本体の側面を取っ手部とし手で持つ対向2側面とする。スタンプに置いて側面を開ける（空ける）ことは重要事項である。配列収納性と持ち手側面に、又は側面に穴を開け対向2側面に通して、記念スタンプに設置する場合は鎖、ヒモ、チエーン、ワイヤー等を通す接続固定用の穴を設けてもよい。
薄型サイズで薄型側面のみ印影印部を設置する。薄型サイズの表面幅広正面部の対向2側面は持ち手側面とする。ダフル印影印部スタンプ、押印のため幅広面を入れた2側面であれば印コストが肥大し採算が取れない、収納性も悪化し配列収納が出来ない。持ち手対向側面が薄手の側面部であれば押し印時の安定感、安定性が悪い。
このスタンプ、押印は薄手サイズで細い薄型側面を利用し、持ち手を正面幅広面の対向2面として持ち手安定性と配列収納性を高めコストを抑えた2面スタンプである。
押印本体の側面、対向2側面を手で持つ所を設け開ける。手で持つ所を中心支点に一方向に印影画面を統一さす。指先又は手で持つ所開けた側面は収納性に置いて重要度が高い、開けた側面と他の押印本体の開けた側面を合わせていくことにより、配列収納性を高くした考案である。
重ねることは可能なことはスタンプ、押印に必要な要素、収納性に置いて対向2側面は開けなくてな収納性が極めて悪くスタンプ、押印として利用が低い。
印影印部は下部と側面、又は側面と側面の2箇所のみである。
2箇所のみであることに限定することは印影押し印ミスの削減になる。
図4は押印スタンプ本体の、二つの印影ならば二つの印影を一度に確認できる角度を作る。確認できる角度を作ることは、押し印図画の完成の印影両画像を確認でき、「押し印ミス」の削減になる。連写速度の速さにもつながり重要な要素である。
常に押印本体の角度は直角であり全ての角度90度の立方体で、押し印画面に対し垂直に押し印する。いかなる時も押印本体は垂直に押し印する。直角を垂直に押し印は、印影押し印ミスを防ぐ要素である。
押印本体の下部と側面隣接箇所は直角垂直に設置する。印影印画面は対向面に印影押印部に平行に設置する。
印影印画面は側面と隣接箇所は直角に設置する。二つの印影画像を確認できる角度（図4の13）を作る。
すなわち、下部と側面の隣接箇所が直角であり印影画が平行に設置対向側面に設置する。隣接箇所が直角であることは印影押印を変えても常に一定の押し印力が垂直にかけられることが、印押しミスを防ぐ要素である。
連続押し印のミスの防止として重要である。
直角に隣接する下部と側面、側面と側面の隣接する箇所は全て直角になる。
押し印は側面と側面、下部と側面の2箇所のみであることが重要要素である。
印影を2重押し印する場合のイメージを把握しなくてはいけない。印影の側面を確認する時、二つの印影が角度を変え一度に見える確認できる角度が押印本体に存在する。重ね押し印等を押印する場合の完成イメージを正確に把握する。押印本体に置いて重要な角度である（図4の13）。
例、として立ちポーズの人形の場合（図4）、
持ち手に対して上部方向は左方向にかならず統一する。持ち手で挟み持った時すなわち、親指と人さし指で挟み持った時の上方向（小指が下方向）に印影上部を設置する。左手の場合も小指が下方向で、反対方向を上方向とし印影上部を設置する。
例の立ちポーズ人形の上部（図4の9と10）、立ちポーズ人形の下部（図4の11と12）の印影の方向性を合わせることを目的にしたダブル押印。
後、立ちポーズの人形縦位置とは別に、横位置の図案印部の場合、持ち手支点の親指の持ち手側面を図案の下部、下側面に設置する。
左手で持った場合も親指側面を図案印部の下部下側に設置する。
片手で持ち連写する場合、「縦位置図案、横位置図案、縦位置図案、横位置図案、」と連写が可能。即ち持ち手の手は内側には曲げられるが、手の甲の向きには曲げにくいためである。曲げにくいため横位置図案印部が押しにくい。
図4は六面立方体で、押す内容によりゆっくりと正確に押し印してもよい。
【符号の説明】
【００１１】
1、下部印部
2、印部
3、側面部
4、対向側面部
5、手、指
6、印影印画面
7、印影印画面
8、中心支点（持ち手部）
9、例、立ちポーズ人形、上部
10、例、立ちポーズ人形、上部
11、例、立ちポーズ人形、下部
12、例、立ちポーズ人形、下部
13、二つの画像を確認
【図１】
2015054427.tif 000003
【図２】
2015054427.tif 000004
【図３】
2015054427.tif 000005
【図４】
2015054427.tif 000006